(57)【要約】【課題】  強度を確保しても、着脱作業が簡単にできる保護部材およびそれを備えた腕時計を提供する。【解決手段】  腕時計ケース１の上面に互いに平行に配置される上辺部１４ａと、腕時計ケース１の下面に互いに平行に配置されて上辺部１４ａに対して直交する下辺部１４ｂと、腕時計ケース１の側面に配置され、かつ上辺部１４ａと下辺部１４ｂとの各両端を連結する側辺部１４ｃと、この側辺部１４ｃに弾性変形可能に設けられた弾性変形部１５と、を備えている。従って、上辺部１４ａ、下辺部１４ｂ、側辺部１４ｃが弾性変形部１５を介して連続した構成であっても、弾性変形部１５を弾性変形させることができるので、上辺部１４ａ、下辺部１４ｂ、側辺部１４ｃの剛性を高めて強度を確保しても、腕時計ケース１に対する着脱作業が簡単にできる。【選択図】        図３
2015172517.tif 000002
【特許請求の範囲】
【請求項１】
ケースの外面に取り付けられる保護部材であって、
前記ケースの表面に互いに平行に配置される上辺部と、前記ケースの裏面に互いに平行に配置されて前記上辺部に対して直交する下辺部と、前記ケースの側面に配置され、かつ前記上辺部と前記下辺部との各両端を連結する側辺部と、前記上辺部、前記下辺部、前記側辺部のいずれかに弾性変形可能に設けられた弾性変形部と、を備えていることを特徴とする保護部材。
【請求項２】
請求項１に記載の保護部材において、前記弾性変形部は、弾力を有する合成樹脂で伸縮自在に形成されていることを特徴とする保護部材。
【請求項３】
請求項２に記載の保護部材において、前記弾性変形部は、前記上辺部、前記下辺部、前記側辺部のうち、少なくとも前記側辺部に設けられていることを特徴とする保護部材。
【請求項４】
請求項１に記載の保護部材において、前記弾性変形部は、伸縮自在なばね部材であることを特徴とする保護部材。
【請求項５】
請求項４に記載の保護部材において、前記ばね部材は、前記上辺部、前記下辺部、前記側辺部のうち、少なくとも前記上辺部に設けられていることを特徴とする保護部材。
【請求項６】
請求項１に記載の保護部材において、前記弾性変形部は、弾力的に捩れ変形する捩れ変形部と、この捩れ変形部を捩れ変形させるレバー部とを有していることを特徴とする保護部材。
【請求項７】
請求項６に記載の保護部材において、前記弾性変形部は、前記下辺部に設けられていることを特徴とする保護部材。
【請求項８】
請求項１〜請求項７のいずれかに記載された保護部材を備えていることを特徴とする腕時計。
【発明の詳細な説明】
【技術分野】
【０００１】
この発明は、人体に装着して使用する計時装置に用いられる保護部材およびそれを備えた腕時計に関する。
【背景技術】
【０００２】
例えば、腕時計においては、特許文献１に記載されているように、腕時計ケースの外面に保護部材の金属線を取り付け、この金属線に設けられた保護部材の緩衝部を腕時計ケースの時計ガラス上に配置することにより、時計ガラスを衝撃から保護するように構成されたものが知られている。
【先行技術文献】
【特許文献】
【０００３】
【特許文献１】特開２００２−２２８７７２号公報
【０００４】
このような保護部材は、２つに分割されて形成され、時計バンドがそれぞれ取り付けられる１２時側と６時側とに個別に取り付けられるように構成されている。このため、保護部材を腕時計ケースから取り外す際には、時計バンドを腕時計ケースから取り外さなければ、保護部材を腕時計ケースから取り外すことができないという問題がある。
【０００５】
そこで、このような問題を解消するために、腕時計ケースの裏面側に位置する保護部材の金属線を３時側と９時側とに配置し、腕時計ケースの表面側に位置する金属線と腕時計ケースの裏面側に位置する金属線とを連結して、１本の金属線で連続させて形成した構成のものも開発されている。
【発明の概要】
【発明が解決しようとする課題】
【０００６】
しかしながら、このような保護部材では、金属線が細ければ、変形し易いので、腕時計ケースに対して簡単にかつ容易に着脱することができるが、衝撃に対する保護性が確保できないという問題があり、また強度を確保するため金属線を太くすると、衝撃に対する保護性を確保することができても、腕時計ケースに対する着脱作業が煩雑で面倒になるという問題がある。
【０００７】
この発明が解決しようとする課題は、強度を確保しても、着脱作業が簡単にできる保護部材およびそれを備えた腕時計を提供することである。
【課題を解決するための手段】
【０００８】
この発明は、ケースの外面に取り付けられる保護部材であって、前記ケースの表面に互いに平行に配置される上辺部と、前記ケースの裏面に互いに平行に配置されて前記上辺部に対して直交する下辺部と、前記ケースの側面に配置され、かつ前記上辺部と前記下辺部との各両端を連結する側辺部と、前記上辺部、前記下辺部、前記側辺部のいずれかに弾性変形可能に設けられた弾性変形部と、を備えていることを特徴とする保護部材である。
【発明の効果】
【０００９】
この発明によれば、上辺部、下辺部、側辺部が弾性変形部を介して連続した構成であっても、弾性変形部を弾性変形させることができるので、上辺部、下辺部、側辺部の剛性を高めて強度を確保しても、ケースに対する着脱作業が簡単にできる。
【図面の簡単な説明】
【００１０】
【図１】この発明を適用した腕時計の第１実施形態を示した拡大正面図である。
【図２】図１に示された腕時計のＡ−Ａ矢視における拡大断面図である。
【図３】図１に示された腕時計を３時側から見た拡大側面図である。
【図４】図１に示された腕時計を６時側から見た拡大側面図である。
【図５】図１に示された腕時計の保護部材を示した拡大斜視図である。
【図６】図４に示された腕時計ケースに取り付けられた保護部材の３時側の下辺部を腕時計ケースから取り外す状態を示した拡大側面図である。
【図７】この発明を適用した腕時計の第２実施形態を示した拡大正面図である。
【図８】図７に示された腕時計を３時側から見た拡大側面図である。
【図９】図７に示された腕時計を６時側から見た拡大側面図である。
【図１０】図７に示された腕時計の保護部材を示した拡大斜視図である。
【図１１】この発明を適用した腕時計の第３実施形態を示した拡大正面図である。
【図１２】図１１に示された腕時計を３時側から見た拡大側面図である。
【図１３】図１１に示された腕時計を６時側から見た拡大側面図である。
【図１４】図１１に示された腕時計を裏面側から見た拡大裏面図である。
【図１５】図１１に示された腕時計の保護部材を示した拡大斜視図である。
【発明を実施するための形態】
【００１１】
（第１実施形態）
以下、図１〜図６を参照して、この発明を腕時計に適用した第１実施形態について説明する。
この腕時計は、図１および図２に示すように、腕時計ケース１を備えている。この腕時計ケース１は、ケース本体２とベゼル３とを備えている。ケース本体２は、硬質の合成樹脂からなり、その内部に金属製の補強部材２ａが埋め込まれた構成になっている。ベゼル３は、ウレタン樹脂などの軟質の合成樹脂からなり、ケース本体２の外面にビス３ａ（図３参照）によって取り付けられている。
【００１２】
この腕時計ケース１の上部開口部、つまりケース本体２の上部開口部には、図２に示すように、時計ガラス４がパッキン４ａを介して取り付けられている。また、この腕時計ケース１の下部、つまりケース本体２の下部には、裏蓋５が防水リング５ａを介して取り付けられている。この腕時計ケース１の内部、つまりケース本体２の内部には、時計モジュール６が設けられている。
【００１３】
また、この腕時計ケース１の３時側および９時側に位置する側面には、図１〜図４に示すように、スイッチ釦７がそれぞれ設けられている。これら各スイッチ部７は、その外周がベゼル３に設けられた保護部によって保護されている。この腕時計ケース１の１２時側および６時側に位置する側面には、バンド取付部８がそれぞれ側方（図３では左右方向）に突出して設けられている。このバンド取付部８は、時計バンド９の端部９ａが締結部材１０によって取り付けられるように構成されている。
【００１４】
すなわち、このバンド取付部８は、図１、図３および図４に示すように、一対の取付突起部１１を有している。時計バンド９は、ウレタン樹脂などの軟質の合成樹脂からなり、その端部９ａがバンド取付部８の一対の取付突起部１１間に配置されるように構成されている。締結部材１０は、第１ねじ部１２と第２ねじ部１３とを備え、第１ねじ部１２の雄ねじが第２ねじ部１３の雌ねじに螺合するように構成されている。
【００１５】
これにより、締結部材１０は、図１、図３および図４に示すように、時計バンド９の端部９ａをバンド取付部８の一対の取付突起部１１間に配置した状態で、一対の取付突起部１１の両側から時計バンド９の端部９ａ内に第１ねじ部１２と第２ねじ部１３とを挿入させ、第１ねじ部１２の雄ねじを第２ねじ部１３の雌ねじに螺合させて締め付けることにより、時計バンド９の端部９ａをバンド取付部８に取り付けるように構成されている。
【００１６】
ところで、腕時計ケース１の外面には、図１〜図４に示すように、保護部材１４が取り付けられている。この保護部材１４は、図５に示すように、１つの線状部材を環状に折り曲げた構成になっている。すなわち、この保護部材１４は、腕時計ケース１の上面に位置する上辺部１４ａと、腕時計ケース１の下面に位置する下辺部１４ｂと、腕時計ケース１の側面に位置する側辺部１４ｃと、この側辺部１４ｃに弾性変形可能に設けられた弾性変形部１５と、を備えている。
【００１７】
この場合、上辺部１４ａ、下辺部１４ｂ、側辺部１４ｃは、図１、図３〜図５に示すように、金属線で形成されている。また、弾性変形部１５は、後述するように、弾力を有する材料で形成されている。上辺部１４ａは、腕時計ケース１の上面における１２時側と６時側とにそれぞれ互いに平行な状態で配置されるように構成されている。
【００１８】
これら上辺部１４ａのうち、１２時側の上辺部１４ａは、図１、図３〜図５に示すように、１時と１１時との間に配置され、６時側の上辺部１４ａは、５時と７時との間に配置されるように構成されている。これら各上辺部１４ａは、その各下面が時計ガラス４に接触することなく、時計ガラス４の上方に浮き上がった状態で、各上面部がベゼル３の上面よりも上方に突出するように構成されている。
【００１９】
下辺部１４ｂは、図１、図３〜図５に示すように、腕時計ケース１の下面における３時側と９時側とにそれぞれ互いに平行な状態で配置されるように構成されている。これら各下辺部１４ｂのうち、３時側の下辺部１４ｂは、各上辺部１４ａに対して直交する状態で、１時と５時との間に配置されており、９時側の下辺部１４ｂは、各上辺部１４ａに対して直交する状態で、７時と１１時との間に配置されている。
【００２０】
側辺部１４ｃは、図１、図３〜図５に示すように、腕時計ケース１のベゼル３の側面に設けられた各係合溝３ｂ内にそれぞれ配置され、各上辺部１４ａと各下辺部１４ｂとの各両端をそれぞれ連結するように構成されている。この場合、各係合溝３ｂは、スイッチ部７の外周を保護するベゼル３の保護部と腕時計ケース１のバンド取付部８との間に位置する個所に、ベゼル３の上面から側面の下端部に亘って形成されている。
【００２１】
これら各側辺部１４ｃのうち、１時側に位置する側辺部１４ｃは、図１、図３〜図５に示すように、１２時側に位置する上辺部１４ａにおける１時側の端部と、３時側に位置する下辺部１４ｂにおける１時側の端部とを連結するように構成されている。また、１１時側に位置する側辺部１４ｃは、１２時側に位置する上辺部１４ａにおける１１時側の端部と、９時側に位置する下辺部１４ｂにおける１１時側の端部とを連結するように構成されている。
【００２２】
同様に、５時側に位置する側辺部１４ｃは、図１、図３〜図５に示すように、６時側に位置する上辺部１４ａにおける５時側の端部と、３時側に位置する下辺部１４ｂにおける５時側の端部とを連結するように構成されている。さらに、７時側に位置する側辺部１４ｃは、６時側に位置する上辺部１４ａにおける７時側の端部と、９時側に位置する下辺部１４ｂにおける７時側の端部とを連結するように構成されている。
【００２３】
これら各側辺部１４ｃは、図１、図３〜図５に示すように、それぞれ各中間部が切り取られ、この切り取られた個所に各弾性変形部１５がそれぞれ形成された構成になっている。これら各弾性変形部１５は、ウレタン樹脂、シリコーン樹脂、エラストマーなどの弾力を有する合成樹脂、または天然ゴムなどからなり、上辺部１４ａ、下辺部１４ｂ、側辺部１４ｃの金属線よりも太い線状に形成されている。
【００２４】
すなわち、これら各弾性変形部１５は、図５に示すように、インサート成型によって各側辺部１４ｃの各中間部の切り取られた個所に一体に形成されている。また、これら各弾性変形部１５は、各側辺部１４ｃと共に、腕時計ケース１のベゼル３の側面に設けられた各係合溝３ｂ内にそれぞれ配置されるように構成されている。
【００２５】
これにより、各弾性変形部１５は、図５に示すように、各側辺部１４ｃの各中間部の切り取られた個所をそれぞれ伸縮自在に連結するように構成されている。すなわち、これら弾性変形部１５は、図１、図３、図４に示すように、ベゼル３の各係合溝３ｂ内にそれぞれ配置された際に、それぞれ元の自然な形状に収縮するように構成されている。
【００２６】
このため、各弾性変形部１５は、図１、図３、図４に示すように、各側辺部１４ｃの各中間部の切り取られた個所を収縮変形によって互いに引き寄せて、各上辺部１４ａを腕時計ケース１の上面に押し付けると共に、各下辺部１４ｂを腕時計ケース１の下面に押し付けるように構成されている。
【００２７】
また、これら各弾性変形部１５は、図１〜図４に示すように、ベゼル３の各係合溝３ｂ内にそれぞれ配置された状態で、各下辺部１４ｂを腕時計ケース１の下側に引き下げると、それぞれ弾力的に伸びるように構成されている。このため、各弾性変形部１５は、弾力的に伸びた際に、各下辺部１４ｂを腕時計ケース１の下面から離脱させ、この状態でそれぞれ弾力的に屈曲することにより、保護部材１４を腕時計ケース１から取り外せるように構成されている。
【００２８】
これにより、保護部材１４は、図１〜図４に示すように、各上辺部１４ａが腕時計ケース１の１２時側と６時側とに位置する各上面にそれぞれ配置され、各下辺部１４ｂが腕時計ケース１の３時側と９時側とに位置する各下面にそれぞれ配置され、各側辺部１４ｃが腕時計ケース１の側面であるベゼル３の各係合溝３ｂに各弾性変形部１５と共にそれぞれ配置され、この状態で腕時計ケース１に取り付けられるように構成されている。
【００２９】
この場合、保護部材１４は、図１〜図４に示すように、各弾性変形部１５が元の自然な形状に収縮することにより、各上辺部１４ａを腕時計ケース１の上面に押し付け、各下辺部１４ｂを腕時計ケース１の下面に押し付け、各上辺部１４ａと各下辺部１４ｂとが腕時計ケース１を弾力的に挟み付けた状態で、腕時計ケース１に取り付けられるように構成されている。
【００３０】
次に、この腕時計の作用について説明する。
この腕時計を組み立てる場合には、まず、腕時計ケース１のケース本体２の上部開口部に時計ガラス４を取り付け、このケース本体２内に時計モジュール６を組み付ける。この状態でケース本体１の外面にベゼル３をビス３ａによって取り付ける。そして、腕時計ケース１の３時側および９時側に複数のスイッチ釦７を取り付けた後、腕時計ケース１のケース本体２の下面に裏蓋５を取り付ける。
【００３１】
この後、腕時計ケース１の一対のバンド取付部８にそれぞれ時計バンド９を取り付ける。このときには、時計バンド９の端部９ａをバンド取付部８の一対の取付突起部１１間に配置する。この状態で、締結部材１０の第１ねじ部１２を一方の取付突起部１１側から時計バンド９の端部９ａに挿入すると共に、第２ねじ部１３を他方の取付突起部１１側から時計バンド９の端部９ａに挿入する。
【００３２】
この状態で、第１ねじ部１２を第２ねじ部１３に押し付けながら、第１ねじ部１２の雄ねじを第２ねじ部１３の雌ねじ１３ｃに螺合させて締め付ける。これにより、第１ねじ部１２と第２ねじ部１３とによって、時計バンド９の端部９ａが腕時計ケース１のバンド取付部８に取り付けられる。
【００３３】
次に、このように組み立てられた腕時計ケース１に保護部材１４を取り付ける場合について説明する。
この場合には、まず、保護部材１４の各下辺部１４ｂのうち、一方の下辺部１４ｂを例えば腕時計ケース１の９時側の下面に配置させた状態で、この下辺部１４ｂの両端に位置する各側辺部１４ｃを各弾性変形部１５と共に、腕時計ケース１のベゼル３における７時と１１時とに位置する各係合溝３ｂに対応させ、各上辺部１４ａを腕時計ケース１の１２時側と６時側との上方に傾斜させて対応させる。
【００３４】
この状態では、保護部材１４の各下辺部１４ｂのうち、他方の下辺部１４ｂが腕時計ケース１の３時側の上面に位置する。このため、この他方の下辺部１４ｂを腕時計ケース１の３時側の側面に向けて押し下げる。すると、各側辺部１４ｃに設けられた各弾性変形部１５がそれぞれ弾力的に屈曲変形しながら伸びる。これにより、他方の下辺部１４ｂが腕時計ケース１の３時側の側面を乗り越えて、腕時計ケース１の３時側の下面に配置される。
【００３５】
このときには、一方の下辺部１４ｂが腕時計ケース１の９時側の下面に配置された状態で、９時側に位置する各側辺部１４ｃがベゼル３の７時と１１時とに位置する各係合溝３ｂに各弾性変形部１５と共に係合し、各上辺部１４ａが腕時計ケース１の１２時側と６時側とに位置する各上面に接触することなく配置される。また、このときには、３時側に位置する各側辺部１４ｃがベゼル３の１時と５時とに位置する各係合溝３ｂに各弾性変形部１５と共に係合し、３時側の下辺部１４ｂが腕時計ケース１の３時側の下面に配置される。
【００３６】
これにより、保護部材１４が腕時計ケース１に取り付けられる。この状態では、各弾性変形部１５がそれぞれ元の自然な形状に収縮することにより、各側辺部１４ｃの各中間部の切り取られた個所を互いに引き寄せる。このため、各上辺部１４ａと各下辺部１４ｂとが互いに引き寄せられ、各上辺部１４ａが各弾性変形部１５の収縮力によって腕時計ケース１の上面に押し付けられ、各下辺部１４ｂが各弾性変形部１５の収縮力によって腕時計ケース１の下面に押し付けられる。
【００３７】
一方、腕時計ケース１から保護部材１４を取り外す場合には、保護部材１４の各下辺部１４ｂのうち、例えば３時側に位置する一方の下辺部１４ｂを腕時計ケース１の下側に引き下げる。すると、３時側に位置する下辺部１４ｂの両端に位置する各弾性変形部１５がそれぞれ弾力的に伸びる。この状態で、３時側に位置する下辺部１４ｂを腕時計ケース１の３時側の側面に押し上げる。
【００３８】
このときには、図６に示すように、各弾性変形部１５がそれぞれ弾力的に伸びた状態で屈曲変形することにより、３時側に位置する下辺部１４ｂが腕時計ケース１の３時側の側面を下側から上側に向けて乗り越える。これにより、３時側に位置する下辺部１４ｂが腕時計ケース１の上方に離脱する。この状態で、９時側に位置する下辺部１４ｂを腕時計ケース１の側方に離脱させることにより、保護部材１４を腕時計ケース１から取り外すことができる。
【００３９】
この場合には、腕時計ケース１のバンド取付部８から時計バンド９を取り外す必要がなく、腕時計ケース１のバンド取付部８に時計バンド９を取り付けた状態で、保護部材１４を腕時計ケース１から取り外すことができる。このため、ドライバなどの工具を用いる必要がなく、簡単にかつ容易に指先で保護部材１４を腕時計ケース１から取り外すことができると共に、保護部材１４を腕時計ケース１に簡単に取り付けることができる。
【００４０】
このように、この腕時計の保護部材１４によれば、腕時計ケース１の上面に互いに平行に配置される上辺部１４ａと、腕時計ケース１の下面に互いに平行に配置されて上辺部１４ａに対して直交する下辺部１４ｂと、腕時計ケース１の側面に配置され、かつ上辺部１４ａと下辺部１４ｂとの各両端を連結する側辺部１４ｃと、この側辺部１４ｃに弾性変形可能に設けられた弾性変形部１５と、を備えていることにより、強度を確保しても、着脱作業が簡単にできる。
【００４１】
すなわち、この腕時計の保護部材１４では、上辺部１４ａ、下辺部１４ｂ、側辺部１４ｃが弾性変形部１５を介して連続した構成であっても、側辺部１４ｃに設けられた弾性変形部１５を弾性変形させることができる。このため、上辺部１４ａ、下辺部１４ｂ、側辺部１４ｃを金属線で形成し、その金属線を太くして、上辺部１４ａ、下辺部１４ｂ、側辺部１４ｃの剛性を高めて強度を確保しても、腕時計ケース１に対する着脱作業が簡単にできる。
【００４２】
この場合、弾性変形部１５は、弾力を有する合成樹脂で伸縮自在に形成されていることにより、上辺部１４ａ、下辺部１４ｂ、側辺部１４ｃを線径の太い金属線で形成して、強度を高めても、保護部材１４全体の形状を弾性変形部１５によって自由に変形させることができる。このため、腕時計ケース１に時計バンド９を取り付けた状態においても、保護部材１４を腕時計ケース１の外面に簡単にかつ容易に取り付けることができると共に、腕時計ケース１の外面にから簡単にかつ容易に取り外すことができる。
【００４３】
また、この弾性変形部１５は、腕時計ケース１の側面に配置され、かつ上辺部１４ａと下辺部１４ｂとの各両端を連結する各側辺部１４ｃに設けられていることにより、保護部材１４を腕時計ケース１に着脱する際に、弾性変形部１５を伸縮自在に屈曲させて、下辺部１４ｂを腕時計ケース１の外方に押し広げることができるので、保護部材１４を腕時計ケース１に簡単にかつ容易に着脱することができる。
【００４４】
このため、腕時計ケース１から時計バンド９を取り外したり、腕時計を分解したりする必要がなく、保護部材１４を腕時計ケース１に簡単にかつ容易に着脱することができるので、修理や点検などのアフターサービスの作業を向上させることができるほか、ユーザが自分の好みに応じて、自由に保護部材１４を交換することができる。
【００４５】
この場合、弾性変形部１５は、側辺部１４ｃの中間部が切り取られた箇所に、インサート成形によって形成されていることにより、側辺部１４ｃの中間部が切り取られていても、この切り取られた側辺部１４ｃの個所を弾性変形部１５で確実に連結することができ、これにより側辺部１４ｃの中間部を伸縮自在に屈曲させることができるので、保護部材１４を腕時計ケース１に簡単にかつ容易に着脱することができる。
【００４６】
また、保護部材１４を腕時計ケース１に取り付けた状態で、上辺部１４ａが衝撃を受けた際には、その衝撃を弾性変形部１５によっても緩衝することができる。また、腕時計ケース１を腕に装着して使用する際に、腕時計ケース１と腕との間に保護部材１４の下辺部１４ｂを配置することができるので、使用時に保護部材１４が腕時計ケース１から不用意に外れないようにすることができる。
【００４７】
なお、上述した第１実施形態では、弾性変形部１５を側辺部１４ｃに設けた場合について述べたが、これに限らず、例えば上辺部１４ａに弾性変形部１５を設けても良く、また下辺部１４ｂに弾性変形部１５を設けても良く、またこれらに限らず、上辺部１４ａ、下辺部１４ｂ、側辺部１４ｃのすべてに弾性変形部１５を設けても良い。
【００４８】
（第２実施形態）
次に、図７〜図１０を参照して、この発明を適用した腕時計の第２実施形態について説明する。なお、図１〜図６に示された第１実施形態と同一部分には同一符号を付して説明する。
この腕時計は、図７に示すように、腕時計ケース１の外面に取り付けられる保護部材２０の上辺部２０ａに弾性変形部であるばね部２１を設けた構成であり、これ以外は第１実施形態とほぼ同じ構成になっている。
【００４９】
この場合にも、保護部材２０は、図７〜図１０に示すように、１つの線状部材を環状に折り曲げた構成になっている。すなわち、この保護部材２０は、腕時計ケース１の上面に位置する上辺部２０ａと、腕時計ケース１の下面に位置する下辺部２０ｂと、腕時計ケース１の側面に位置する側辺部２０ｃと、上辺部２０ａに設けられて弾性変形するばね部２１と、を備えている。
【００５０】
上辺部２０ａ、下辺部２０ｂ、側辺部２０ｃは、第１実施形態と同様、線径の太い金属線で形成されている。ばね部２１は、図７〜図１０に示すように、伸縮自在なコイルばねであり、上辺部２０ａ、下辺部２０ｂ、側辺部２０ｃの金属線と同じ太さの金属線で形成しても良く、またその金属線の一部を細く形成し、この細く形成された部分の金属線をコイル状に形成した構成であっても良い。
【００５１】
この場合、上辺部２０ａは、第１実施形態と同様、腕時計ケース１の１２時側と６時側とに互いに平行な状態でそれぞれ配置されるように構成されている。また、下辺部２０ｂは、第１実施形態と同様、腕時計ケース１の３時側と９時側とに互いに平行な状態で上辺部２０ａに対して直交する状態で配置されるように構成されている。側辺部２０ｃは、第１実施形態と同様、腕時計ケース１のベゼル３の側面に設けられた各係合溝３ｂ内にそれぞれ配置され、各上辺部２０ａと各下辺部２０ｂの各両端をそれぞれ連結するように構成されている。
【００５２】
ところで、各上辺部２０ａは、図７〜図１０に示すように、その両端部を残して、中間部が切り取られ、この切り取られた中間部にばね部２１がそれぞれ設けられている。すなわち、これら各ばね部２１は、図７に示すように、各上辺部２０ａの両端部から各上辺部２０ａが切り取られた中間部に向けてそれぞれコイル状に形成され、このコイル状の端部同士が中間点において溶接やロー付けによって固着され、この状態で各上辺部２０ａの両端部にそれぞれ取り付けられるように構成されている。
【００５３】
この場合、各ばね部２１のうち、１２時側に位置するばね部２１は、図７および図１０に示すように、その一端部が１時側に位置する上辺部２０ａの一端部に連結され、他端部が１１時側に位置する上辺部２０ａの他端部に連結されるように形成されている。また、６時側に位置するばね部２１は、その一端部が５時側に位置する上辺部２０ａの一端部に連結され、他端部が７時側に位置する上辺部２０ａの他端部に連結されるように形成されている。
【００５４】
これにより、各ばね部２１は、図７〜図１０に示すように、各上辺部２０ａの各両端部をそれぞれ伸縮自在に連結するように構成されている。すなわち、これらばね部２１は、元の自然な形状に収縮することにより、各上辺部２０ａの両側に位置する各側辺部２０ｃを互いに引き寄せて、ベゼル３の各係合溝３ｂ内にそれぞれ押し付けて配置するように構成されている。
【００５５】
また、これら各ばね部２１は、図７〜図９に示すように、各側辺部２０ｃがベゼル３の各係合溝３ｂ内にそれぞれ配置された状態で、各下辺部１４ｂを腕時計ケース１の下側から外部側方に向けて引っ張ると、それぞれ弾力的に伸びることにより、各下辺部１４ｂを腕時計ケース１の下面から離脱させて、保護部材１４を腕時計ケース１から取り外せるように構成されている。
【００５６】
これにより、保護部材２０は、図７〜図９に示すように、各上辺部２０ａが各ばね部２１と共に腕時計ケース１の１２時側と６時側とに位置する各上面にそれぞれ配置され、各下辺部２０ｂが腕時計ケース１の３時側と９時側とに位置する各下面にそれぞれ配置され、各側辺部２０ｃがベゼル３の各係合溝３ｂにそれぞれ配置され、この状態で腕時計ケース１に取り付けられるように構成されている。
【００５７】
この場合、保護部材２０は、図７〜図９に示すように、各ばね部２１のばね力によって、各側辺部２０ｃが腕時計ケース１の側面に両側から弾力的に押し付けられることにより、各側辺部２０ｃが腕時計ケース１の側面を両側から挟み付け、この状態で腕時計ケース１に取り付けられるように構成されている。
【００５８】
次に、この腕時計の作用について説明する。
この場合には、第１実施形態と同様に、予め、腕時計を組み立て、腕時計ケース１のバンド取付部８に時計バンド９の端部９ａを取り付ける。この状態で、腕時計ケース１に保護部材２０を取り付ける。
【００５９】
このときには、保護部材２０の各下辺部２０ｂのうち、一方の下辺部２０ｂを例えば腕時計ケース１の９時側の下面に配置させる。この９時側の下辺部２０ｂの両端に位置する各側辺部２０ｃを腕時計ケース１のベゼル３における７時と１１時とに位置する各係合溝３ｂに対応させ、各上辺部２０ａをばね部２１と共に腕時計ケース１の１２時側と６時側との上方に傾斜させて対応させる。
【００６０】
この状態で、３時側の下辺部２０ｂを各上辺部２０ａの各ばね部２１のばね力に抗して腕時計ケース１の３時側の外部側方に向けて指先で引っ張りながら、腕時計ケース１の３時側の下側に移動させ、この３時側の下辺部２０ｂの両端に位置する各側辺部２０ｃを腕時計ケース１のベゼル３における１時と５時とに位置する各係合溝３ｂに対応させる。
【００６１】
そして、３時側の下辺部２０ｂから指先を離すと、３時側の下辺部２０ｂが各上辺部２０ａの各ばね部２１のばね力によって腕時計ケース１の３時側の下面に引き寄せられる。すると、３時側に位置する各側辺部２０ｃがベゼル３における１時と５時とに位置する各係合溝３ｂに係合し、３時側の下辺部２０ｂが腕時計ケース１の３時側の下面に配置される。これにより、腕時計ケース１に保護部材２０が取り付けられる。
【００６２】
一方、腕時計ケース１から保護部材２０を取り外す場合には、保護部材２０の各下辺部２０ｂのうち、例えば３時側に位置する一方の下辺部２０ｂを各上辺部２０ａの各ばね部２１のばね力に抗して腕時計ケース１の３時側の外部側方に向けて引っ張る。すると、各上辺部２０ａの各ばね部２１が弾力的に伸びて、３時側に位置する下辺部２０ｂが腕時計ケース１の３時側の外部側方に移動する。
【００６３】
この状態で、３時側に位置する下辺部１４ｂを腕時計ケース１の３時側の側面の下側から上側に向けて移動させる。すると、３時側に位置する下辺部１４ｂが腕時計ケース１の上方に離脱する。この状態で、９時側に位置する下辺部１４ｂを腕時計ケース１の側方に離脱させることにより、保護部材１４を腕時計ケース１から取り外すことができる。
【００６４】
この場合にも、第１実施形態と同様、腕時計ケース１のバンド取付部８から時計バンド９を取り外す必要がなく、腕時計ケース１のバンド取付部８に時計バンド９を取り付けた状態で、保護部材２０を腕時計ケース１から取り外すことができる。このため、ドライバなどの工具を用いる必要がなく、指先で簡単にかつ容易に保護部材２０を腕時計ケース１から取り外すことができると共に、保護部材２０を腕時計ケース１に簡単に取り付けることができる。
【００６５】
このように、この腕時計の保護部材２０によれば、腕時計ケース１の上面に互いに平行に配置される上辺部２０ａと、腕時計ケース１の下面に互いに平行に配置されて上辺部２０ａに対して直交する下辺部２０ｂと、腕時計ケース１の側面に配置され、かつ上辺部２０ａと下辺部２０ｂとの各両端を連結する側辺部２０ｃと、上辺部２０ａに弾性変形可能に設けられた弾性変形部であるばね部２１と、を備えていることにより、第１実施形態と同様、強度を確保しても、着脱作業が簡単にできる。
【００６６】
すなわち、この腕時計の保護部材２０では、上辺部２０ａ、下辺部２０ｂ、側辺部２０ｃがばね部２１を介して連続した構成であっても、上辺部２０ａに設けられたばね部２１を弾性変形させることができる。このため、上辺部２０ａ、下辺部２０ｂ、側辺部２０ｃを金属線で形成し、その金属線を太くして、上辺部２０ａ、下辺部２０ｂ、側辺部２０ｃの剛性を高めて強度を確保しても、第１実施形態と同様、腕時計ケース１に対する着脱作業が簡単にできる。
【００６７】
この場合、弾性変形部であるばね部２１は、伸縮自在に弾性変形するコイルばねであることにより、上辺部２０ａ、下辺部２０ｂ、側辺部２０ｃを線径の太い金属線で形成して、強度を高くしても、保護部材２０全体をばね部２１によって自由に変形させることができる。このため、腕時計ケース１に時計バンド９を取り付けた状態においても、保護部材２０を腕時計ケース１の外面に簡単にかつ容易に取り付けることができると共に、腕時計ケース１の外面にから簡単にかつ容易に取り外すことができる。
【００６８】
また、このばね部２１は、腕時計ケース１の上面に配置される上辺部２０ａに設けられていることにより、保護部材２０を腕時計ケース１に着脱する際に、ばね部２１をそのばね力に抗して伸縮自在に引き伸ばして、下辺部２０ｂを腕時計ケース１の外方に押し広げることができるので、保護部材２０を腕時計ケース１に簡単にかつ容易に着脱することができる。
【００６９】
このため、第１実施形態と同様、腕時計ケース１から時計バンド９を取り外したり、腕時計を分解したりする必要がなく、保護部材２０を腕時計ケース１に簡単にかつ容易に着脱することができるので、修理や点検などのアフターサービスの作業を向上させることができるほか、ユーザが自分の好みに応じて、自由に保護部材２０を交換することができる。
【００７０】
また、この保護部材２０においても、腕時計ケース１を腕に装着して使用する際に、第１実施形態と同様、腕時計ケース１と腕との間に保護部材２０の下辺部２０ｂを配置することができるので、使用時に保護部材２０が腕時計ケース１から不用意に外れないようにすることができる。
【００７１】
なお、上述した第２実施形態では、弾性変形部であるばね部２１を上辺部２０ａに設けた場合について述べたが、これに限らず、例えば下辺部２０ｂにばね部２１を設けても良く、また側辺部２０ｃにばね部２１を設けても良く、またこれらに限らず、上辺部２０ａ、下辺部２０ｂ、側辺部２０ｃのすべてにばね部２１を設けても良い。
【００７２】
（第３実施形態）
次に、図１１〜図１５を参照して、この発明を適用した腕時計の第３実施形態について説明する。この場合にも、図１〜図６に示された第１実施形態と同一部分には同一符号を付して説明する。
この腕時計は、図１１〜図１５に示すように、腕時計ケース１の外面に取り付けられる保護部材２５の下辺部２５ｂに弾性変形部２６を設けた構成であり、これ以外は第１実施形態とほぼ同じ構成になっている。
【００７３】
この場合にも、保護部材２５は、図１１〜図１５に示すように、１つの線状部材を環状に折り曲げた構成になっている。すなわち、この保護部材２５も、腕時計ケース１の上面に位置する上辺部２５ａと、腕時計ケース１の下面に位置する下辺部２５ｂと、腕時計ケース１の側面に位置する側辺部２５ｃと、下辺部２５ｂに設けられた弾性変形部２６と、を備えている。
【００７４】
上辺部２５ａ、下辺部２５ｂ、側辺部２５ｃは、第１実施形態と同様、線径の太い金属線で形成されている。弾性変形部２６は、図１４および図１５に示すように、上辺部２５ａ、下辺部２５ｂ、側辺部２５ｃと同じ金属線で、弾力的に捩れ変形するように構成されている。この場合、上辺部２５ａは、第１実施形態と同様、腕時計ケース１の１２時側と６時側とに互いに平行な状態でそれぞれ配置されるように構成されている。
【００７５】
また、下辺部２５ｂは、第１実施形態と同様、腕時計ケース１の３時側と９時側とに互いに平行な状態で上辺部２５ａに対して直交する状態で配置されるように構成されている。さらに、側辺部２５ｃは、第１実施形態と同様、腕時計ケース１のベゼル３の側面に設けられた各係合溝３ｂ内にそれぞれ配置され、各上辺部２５ａと各下辺部２５ｂの各両端をそれぞれ連結するように構成されている。
【００７６】
ところで、弾性変形部２６は、図１４および図１５に示すように、各下辺部２５ｂのうち、例えば３時側に位置する下辺部２５ｂの中間部を裏蓋５の下面の中央部に向けて折り曲げた構成になっている。すなわち、この弾性変形部２６は、弾力的に捩れ変形する捩れ変形部２７と、この捩れ変形部２７を捩れ変形させるレバー部２８とを有している。
【００７７】
捩れ変形部２７は、図１４および図１５に示すように、下辺部２５ｂが中間部に向けて延びる一方の端部が裏蓋５の下面の中央部に向けてほぼ直角に折り曲げられて捩れ変形する角部２７ａと、下辺部２５ｂが中間部に向けて延びる他方の端部が裏蓋５の下面の中央部に向けてほぼ直角に折り曲げられて捩れ変形する角部２７ｂと、を有している。レバー部２８は、各角部２７ａ、２７ｂから裏蓋５の下面の中央部に向けて延び、この延びた各先端が連結された構成になっている。
【００７８】
これにより、弾性変形部２６は、図１４に示すように、保護部材２５が腕時計ケース１に取りけられた際に、捩れ変形部２７とレバー部２８とが腕時計ケース１の下面側に配置され、この状態で捩れ変形部２７の各角部２７ａ、２７ｂが元の自然な形状に捩れ変形してレバー部２８を裏蓋５の下面に弾力的に押し付けるように構成されている。
【００７９】
このため、この弾性変形部２６は、図１４に示すように、捩れ変形部２７の捩れ変形に伴ってレバー部２８が裏蓋５の下面に弾力的に押し付けられることにより、各上辺部２５ａが腕時計ケース１の上面に押し付けられて、腕時計ケース１を各上辺部２５ａとレバー部２８とで弾力的に挟み付けるように構成されている。
【００８０】
また、この弾性変形部２６は、図１４に示すように、保護部材２５が腕時計ケース１に取りけられて、レバー部２８が裏蓋５の下面に弾力的に押し付けられた状態で、レバー部２８を指先で下側（図１４では紙面の表面側）に引き下げると、捩れ変形部２７の各角部２７ａ、２７ｂがそれぞれ弾力的に捩れ変形するように構成されている。
【００８１】
これにより、この弾性変形部２６は、図１４に示すように、捩れ変形部２７が弾力的に捩れ変形する際に、この捩れ変形部２７の捩れ変形に伴って、３時側の下辺部２５ｂを腕時計ケース１の下側から側面に移動させ、この３時側の下辺部２５ｂを腕時計ケース１の側面から離脱させて、保護部材２５を腕時計ケース１から取り外せるように構成されている。
【００８２】
次に、この腕時計の作用について説明する。
この場合にも、第１実施形態と同様に、予め、腕時計を組み立て、腕時計ケース１のバンド取付部８に時計バンド９の端部９ａを取り付ける。この状態で、腕時計ケース１に保護部材２５を取り付ける。
【００８３】
このときには、まず、保護部材２５の各下辺部２５ｂのうち、一方の下辺部２５ｂを例えば腕時計ケース１の９時側の下面に配置させる。そして、この９時側の下辺部２５ｂの両端に位置する各側辺部２５ｃを腕時計ケース１のベゼル３における７時と１１時とに位置する各係合溝３ｂに対応させ、各上辺部２５ａを腕時計ケース１の１２時側と６時側との上方に傾斜させて対応させる。
【００８４】
この状態で、３時側の下辺部２３ｂに設けられた弾性変形部２６の捩れ変形部２７の各角部２７ａ、２７ｂを中心に、弾性変形部２６のレバー部２８を指先で下側に向けて回転させる。すると、捩れ変形部２７の各角部２７ａ、２７ｂがそれぞれ弾力的に捩れ変形しながら、レバー部２８および３時側の下辺部２５ｂを腕時計ケース１の上側から側面に移動させる。
【００８５】
そして、この移動した３時側の下辺部２５ｂが腕時計ケース１の側面から下側に配置される。この状態で、レバー部２８から指先を離すと、捩れ変形部２７の各角部２７ａ、２７ｂが元の自然な形状に捩れ変形して、レバー部２８を裏蓋５の下面に弾力的に押し付ける。このときには、３時側の下辺部２５ｂの両端に位置する各側辺部２５ｃが腕時計ケース１のベゼル３における１時と５時とに位置する各係合溝３ｂに係合する。
【００８６】
この状態では、レバー部２８が裏蓋５の下面に弾力的に押し付けられるので、各上辺部２５ａが腕時計ケース１の上面に押し付けられる。このため、各上辺部２５ａとレバー部２８とが腕時計ケース１を弾力的に挟み付ける。これにより、腕時計ケース１に保護部材２５が取り付けられる。
【００８７】
一方、腕時計ケース１から保護部材２５を取り外す場合には、保護部材２５の各下辺部２５ｂのうち、例えば３時側に位置する一方の下辺部２５ｂに設けられた弾性変形部２６の捩れ変形部２７の各角部２７ａ、２７ｂを中心に、弾性変形部２６のレバー部２８を指先で腕時計ケース１の下側に向けて回転させて押し下げる。
【００８８】
すると、捩れ変形部２７の各角部２７ａ、２７ｂがそれぞれ弾力的に捩れ変形しながら、３時側の下辺部２５ｂが腕時計ケース１の下側から側面に移動すると共に、この側面から腕時計ケース１の上方に離脱する。この状態で、９時側に位置する下辺部２５ｂを腕時計ケース１の側方に離脱させることにより、保護部材２５を腕時計ケース１から取り外すことができる。
【００８９】
この場合にも、第１実施形態と同様、腕時計ケース１のバンド取付部８から時計バンド９を取り外す必要がなく、腕時計ケース１のバンド取付部８に時計バンド９を取り付けた状態で、保護部材２５を腕時計ケース１から取り外すことができる。このため、ドライバなどの工具を用いる必要がなく、簡単にかつ容易に保護部材２５を腕時計ケース１から取り外すことができると共に、保護部材２５を腕時計ケース１に簡単に取り付けることができる。
【００９０】
このように、この腕時計の保護部材２５によれば、腕時計ケース１の上面に互いに平行に配置される上辺部２５ａと、腕時計ケース１の下面に互いに平行に配置されて上辺部２５ａに対して直交する下辺部２５ｂと、腕時計ケース１の側面に配置され、かつ上辺部２５ａと下辺部２５ｂとの各両端を連結する側辺部２５ｃと、下辺部２５ｂに捩れ変形可能に設けられた弾性変形部２６と、を備えていることにより、第１実施形態と同様、強度を確保しても、着脱作業が簡単にできる。
【００９１】
すなわち、この腕時計の保護部材２５では、上辺部２５ａ、下辺部２５ｂ、側辺部２５ｃが弾性変形部２６を介して連続した構成であっても、下辺部２５ｂに設けられた弾性変形部２６を弾力的に捩れ変形させることができる。このため、上辺部２５ａ、下辺部２５ｂ、側辺部２５ｃを金属線で形成し、その金属線を太くして、上辺部２５ａ、下辺部２５ｂ、側辺部２５ｃの剛性を高めて強度を確保しても、第１実施形態と同様、腕時計ケース１に対する着脱作業が簡単にできる。
【００９２】
この場合、弾性変形部２６は、弾力的に捩れ変形する捩れ変形部２７と、この捩れ変形部２６ａを捩れ変形させるレバー部２８とを有していることにより、上辺部２５ａ、下辺部２５ｂ、側辺部２５ｃを線径の太い金属線で形成して、強度を高めても、弾性変形部２６を弾力的に捩れ変形させることができる。このため、腕時計ケース１に時計バンド９を取り付けた状態においても、保護部材２５を腕時計ケース１の外面に簡単にかつ容易に取り付けることができると共に、腕時計ケース１の外面にから簡単にかつ容易に取り外すことができる。
【００９３】
すなわち、弾性変形部２６の捩れ変形部２７は、下辺部２５ｂが中間部に向けて延びる一方の端部が裏蓋５の下面の中央部に向けてほぼ直角に折り曲げられて捩れ変形する角部２７ａと、下辺部２５ｂが中間部に向けて延びる他方の端部が裏蓋５の下面の中央部に向けてほぼ直角に折り曲げられて捩れ変形する角部２７ｂと、を有し、レバー部２８は、各角部２７ａ、２７ｂから裏蓋５の下面の中央部に向けて延び、この延びた各先端が連結された構成であることにより、レバー部２８によって捩れ変形部２７を容易に捩れ変形させることができる。
【００９４】
このため、この弾性変形部２６は、保護部材２５が腕時計ケース１に取りけられた際に、捩れ変形部２７とレバー部２８とが腕時計ケース１の下面側に配置され、この状態で捩れ変形部２７の各角部２７ａ、２７ｂが元の自然な形状に捩れ変形してレバー部２８を裏蓋５の下面に弾力的に押し付けることができる。これにより、各上辺部２５ａを腕時計ケース１の上面に押し付けて、腕時計ケース１を各上辺部２５ａとレバー部２８とで弾力的に挟み付けることができるので、保護部材２５を腕時計ケース１に確実にかつ良好に取り付けることができる。
【００９５】
また、この弾性変形部２６は、腕時計ケース１の下面に配置される下辺部２５ｂに設けられていることにより、保護部材２５を腕時計ケース１に着脱する際に、レバー部２８によって捩れ変形部２７の各角部２７ａ、２７ｂを弾力的に捩れ変形させて、下辺部２５ｂを腕時計ケース１の外方に向けて押し広げることができるので、保護部材２５を腕時計ケース１に簡単にかつ容易に着脱することができる。
【００９６】
このため、腕時計ケース１を腕に装着して使用する際に、第１実施形態と同様、腕時計ケース１と腕との間に保護部材２５の下辺部２５ｂおよび弾性変形部２６を配置することができるので、使用時に保護部材２５が腕時計ケース１から不用意に外れないようにすることができる。
【００９７】
また、この保護部材２５においても、第１実施形態と同様、腕時計ケース１から時計バンド９を取り外したり、腕時計を分解したりする必要がなく、保護部材２５を腕時計ケース１に簡単にかつ容易に着脱することができるので、修理や点検などのアフターサービスの作業を向上させることができるほか、ユーザが自分の好みに応じて、自由に保護部材２５を交換することができる。
【００９８】
なお、上述した第３実施形態では、弾性変形部２６を下辺部２５ｂに設け、上辺部２５ａおよび側辺部２５ｃを金属線で形成した場合について述べたが、これに限らず、例えば第１実施形態のように、側辺部２５ｃに弾性変形可能な弾性変形部１５を設けた状態で、下辺部２５ｂに弾性変形部２６を設けた構成でも良く、また第２実施形態のように、上辺部２５ａにばね部２１を設けた状態で、下辺部２５ｂに弾性変形部２６を設けた構成でも良い。
【００９９】
また、上述した第１〜第３の各実施形態およびその各変形例では、腕時計に適用した場合について述べたが、これに限らず、例えば腕などの人体に装着して使用する計時装置などの腕装着型の電子機器にも適用することができる。
【０１００】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０１】
（付記）
請求項１に記載の発明は、ケースの外面に取り付けられる保護部材であって、前記ケースの表面に互いに平行に配置される上辺部と、前記ケースの裏面に互いに平行に配置されて前記上辺部に対して直交する下辺部と、前記ケースの側面に配置され、かつ前記上辺部と前記下辺部との各両端を連結する側辺部と、前記上辺部、前記下辺部、前記側辺部のいずれかに弾性変形可能に設けられた弾性変形部と、を備えていることを特徴とする保護部材である。
【０１０２】
請求項２に記載の発明は、請求項１に記載の保護部材において、前記弾性変形部は、弾力を有する合成樹脂で伸縮自在に形成されていることを特徴とする保護部材である。
【０１０３】
請求項３に記載の発明は、請求項２に記載の保護部材において、前記弾性変形部は、前記上辺部、前記下辺部、前記側辺部のうち、少なくとも前記側辺部に設けられていることを特徴とする保護部材である。
【０１０４】
請求項４に記載の発明は、請求項１に記載の保護部材において、前記弾性変形部は、伸縮自在なばね部材であることを特徴とする保護部材である。
【０１０５】
請求項５に記載の発明は、請求項４に記載の保護部材において、前記ばね部材は、前記上辺部、前記下辺部、前記側辺部のうち、少なくとも前記上辺部に設けられていることを特徴とする保護部材である。
【０１０６】
請求項６に記載の発明は、請求項１に記載の保護部材において、前記弾性変形部は、弾力的に捩れ変形する捩れ変形部と、この捩れ変形部を捩れ変形させるレバー部とを有していることを特徴とする保護部材である。
【０１０７】
請求項７に記載の発明は、請求項６に記載の保護部材において、前記弾性変形部は、前記下辺部に設けられていることを特徴とする保護部材である。
【０１０８】
請求項８に記載の発明は、請求項１〜請求項７のいずれかに記載された保護部材を備えていることを特徴とする腕時計である。
【符号の説明】
【０１０９】
１  腕時計ケース
２  ケース本体
３  ベゼル
３ａ  係合溝
４  時計ガラス
５  裏蓋
８  バンド取付部
９  時計バンド
１４、２０、２５  保護部材
１４ａ、２０ａ、２５ａ  上辺部
１４ｂ、２０ｂ、２５ｂ  下辺部
１４ｃ、２０ｃ、２５ｃ  側辺部
１５、２６  弾性変形部
２１  ばね部
２７  捩れ変形部
２７ａ、２７ｂ  角部
２８  レバー部
【図１】
2015172517.tif 000003
【図２】
2015172517.tif 000004
【図３】
2015172517.tif 000005
【図４】
2015172517.tif 000006
【図５】
2015172517.tif 000007
【図６】
2015172517.tif 000008
【図７】
2015172517.tif 000009
【図８】
2015172517.tif 000010
【図９】
2015172517.tif 000011
【図１０】
2015172517.tif 000012
【図１１】
2015172517.tif 000013
【図１２】
2015172517.tif 000014
【図１３】
2015172517.tif 000015
【図１４】
2015172517.tif 000016
【図１５】
2015172517.tif 000017